(57)【特許請求の範囲】
【請求項１】
内リンクと外リンクが互いに屈曲可能に連結して成るチェーンにおいて、外プレートの内面にはピンを中心としてリング溝を形成してシールリングを嵌め、そして内プレートの外面とシールリングの間にはシールプレートを介在したことを特徴とするシールチェーン。
【請求項２】
内リンクと外リンクが互いに屈曲可能に連結して成るチェーンにおいて、内プレートの外面にはブッシュを中心としてリング溝を形成してシールリングを嵌め、そして外プレートの内面とシールリングの間にはシールプレートを介在したことを特徴とするシールチェーン。
【請求項３】
上記シールリングとしてＯリングを用いた請求項１、又は請求項２記載のシールチェーン。
【発明の詳細な説明】
【０００１】
【発明の属する技術分野】
本発明は内リンクと外リンクを繋ぐ内外プレート間にシールリングを嵌めるシールチェーンに関するものである。
【０００２】
【従来の技術】
自動二輪車では従来からシールチェーンが使用され、内リンクと外リンクが屈曲することで発生する摩耗を抑制し、ひいてはチェーンの伸びを抑えることが出来る。自動二輪車用のローラチェーンは内リンクのブッシュ穴に外リンクのピンが挿入されて連結・構成しているが、スプロケットに巻付く際、及びスプロケットから離れる際に、内リンクと外リンクは互いに屈曲してブッシュ内周面とピン外周面が互いに擦り合う。
【０００３】
この際、大きな張力が作用した状態にある為に摺動面となるピン外周面及びブッシュ内周面は摩耗する。そこで、ブッシュ穴に潤滑油となるグリースを充填した状態でピンを嵌め、ブッシュ穴からグリースが逃げないようにシールされる。これがシールチェーンと称されるものであり、内リンクの内プレートと外リンクの外プレート間にはブッシュを中心としてシールリングを嵌めている。シールリングの断面形状は色々あり、最も一般的にはO型断面、Ｘ型断面等が使用されている。
【０００４】
そして、このようなシールチェーンは単に自動二輪車用のローラチェーンに限らず、コンベヤチェーンにも適用される場合が多い。コンベヤチェーンは自動二輪車用ローラチェーンのように高速走行することはないが、作用する張力は非常に高く、又使用する環境によってはゴミや粉塵などがピンとブッシュ穴の隙間に侵入して磨耗を促進する場合が多い。
【０００５】
図３は従来のシールチェーンの一部断面を示している。ブッシュ(イ)の両端に内プレート(ロ)を取付けると共にブッシュ(イ)にはローラ(ハ)を軸支して内リンクを構成し、又ピン(ニ)の両端に外プレート(ホ)を取付けて外リンクを構成している。そして外リンクの外プレート(ホ)と内リンクの内プレート(ロ)間にはブッシュ(イ)を中心としてOリング(ヘ)が嵌っている。そして、Oリング(ヘ)が直接、内プレート(ロ)と外プレート(ホ)に接しないように金属製のシールプレート(ト)、(チ)がOリング(ヘ)の両側に介在している。従って、内リンクと外リンクが屈曲するに際して、滑らかなシールプレート(ト)、(チ)に接している為に、Oリング(ヘ)の摩耗・損傷を発生しないようにしている。
【０００６】
しかし、内プレート(ロ)と外プレート(ホ)間に２枚のシールプレート(ト)、(チ)とＯリング(ヘ)を介在することで、内外プレート間には隙間Ａが発生し、その為にチェーンの幅が拡大し、コンベヤチェーンであるならば該コンベヤチェーンを装着する装置全体を変更しなくてはならなくなる。すなわち、従来のチェーンを装着しているコンベヤ装置には使用することが出来ず、互換性がない。
【０００７】
【発明が解決しようとする課題】
このように、従来のシールチェーンには上記のごとき問題がある。本発明が解決しようとする課題はこの問題点であって、内プレートと外プレート間の隙間を拡大しない、すなわちチェーン幅の拡大をもたらさないシールチェーンを提供する。
【０００８】
【課題を解決する為の手段】
本発明に係るシールチェーンは内プレートと外プレート間にシールリングを介在しても、内外プレート間の隙間の拡大をもたらさないようにしたチェーンであり、その為に外プレートの内面にリング溝を形成すると共に該リング溝にシールリングを嵌めている。そして、シールリングが内プレート外面に直接当接しないようにシールプレートを嵌めている。
【０００９】
又、内プレートの外面にリング溝を形成すると共に、該リング溝にシールリングを嵌め、そして外プレート内面との間にはシールプレートを介在することも出来る。リング溝に嵌ったシールリングは内外リンクの屈曲に伴ってリング溝と共に回動し、シールプレートとの間で滑り接触が行われる。従って、片面側だけにシールプレートを設けてもシールリングが摩耗したり損傷することはない。勿論、ブッシュ穴とピン間に充填したグリースが外に漏れることもない。以下、本発明に係る実施例を図面に基づいて詳細に説明する。
【００１０】
【実施例】
図１は本発明に係るシールチェーンを示している実施例であり、コンベヤチェーンを表している。該コンベヤチェーンは内リンク１と外リンク２が交互に屈曲可能に連結している。内リンク１は、所定の距離をおいた２本のブッシュ３の両端に内プレート４，４が取着され、そしてブッシュ３にはローラ５が回転自在に軸支されて構成している。
【００１１】
又外リンク２は、所定の距離をおいた２本のピン６，６の両端に外プレート７ａ，７ｂを取付けている。そして、ピン６はブッシュ穴に嵌って外リンク２が内リンク１に連結している。又、同図に示す外リンク２の外プレート７ｂはブラケットとして機能するようにそのサイズが大きく成っていて、他の部材を取付ける為の４個の穴８，８…を設けている。
【００１２】
図２は図１のＢ部拡大図を示している。内リンク１と外リンク２の連結部であって、ブッシュ３の穴にはピン６が嵌っているが、互いに回転することが出来るようにブッシュ穴とピン６との間には適度な隙間(クリアランス)が設けられ、この隙間にはグリース(潤滑油)が充填されている。そして充填されたグリースが外へ流れ出ないようにシールされている訳であるが、本発明ではＯリング９とシールプレート１０が用いられている。
【００１３】
外プレート７の内面１１にはピン６を中心としたリング溝１２が形成され、このリング溝１２にＯリング９が嵌っている。勿論、リング溝１２にＯリング９が完全に嵌ることなく一部ははみ出す為に、はみ出したＯリング９にはシールプレート１０が当接して圧縮されている。シールプレート１０はリングを成していて、ブッシュ端面に形成した切欠き溝１３に内周部が嵌ると共に、内プレート４の外面１４に密着している。
【００１４】
従って、ブッシュ穴とピン６間に充填されているグリースは、該ブッシュ３の端面と外プレート７間の隙間から流れても、上記Ｏリング９とシールプレート１０によって遮断される。そして、シールプレート１０が内プレート４の外面１４に密着している為に、該シールプレート１０は内プレート４と共に回動し、Oリング９はリング溝１２に嵌っている為に外プレート７と共に回動する。従って、内リンク１と外リンク２間の屈曲に伴ってＯリング９とシールプレート１０間で滑り会う。
【００１５】
一方、内プレート４の外面１４にリング溝１２を形成してＯリング９を嵌め、そして外プレート７の内面１１にシールプレート１０を当接することで構成することも可能である。以上述べたように、本発明のシールチェーンはプレートにリング溝を形成してシールリングを嵌め、そしてシールプレートを介在したものであり、次のような効果を得ることが出来る。
【００１６】
【発明の効果】
本発明のシールチェーンはＯリング等のシールリングとシールプレートを内リンクと外リンクの継手部に設け、内外プレートの対向面の一方にリング溝を形成してシールリングを嵌め、シールプレートをシールリングと他方のプレート間に介在している。従って、ブッシュ穴とピン間に充填したグリースが流れ出ることなくシールされる。
【００１７】
そして、シールリングがプレート面に形成したリング溝に嵌って取付けることで、内外プレート間の隙間が拡大することはなく、シールがなされていない従来のチェーンと寸法上の違いがなく、従って本発明のシールチェーンは互換性がある。例えば、コンベヤチェーンの場合、従来のコンベヤ装置に本発明のシールチェーンを装着することが出来る。
【図面の簡単な説明】
【図１】本発明に係るシールチェーンを示す実施例。
【図２】図１のＢ部拡大図。
【図３】従来のシール構造。
【符号の説明】
１  内リンク
２  外リンク
３  ブッシュ
４  内プレート
５  ローラ
６  ピン
７  外プレート
８  穴
９  Ｏリング
10  シールプレート
11  内面
12  リング溝
13  切欠き溝
14  外面
【図１】
0003716324.tif 000002
【図２】
0003716324.tif 000003
【図３】
0003716324.tif 000004